(57)【要約】【課題】側溝に自然放流できる浄化槽を提供する。【解決手段】槽本体１と、流入孔２と、流出孔３と、開口部４１と、蓋体６１〜６５とを含む。流入孔２は、槽本体１の一側面に設けられており、流出孔３は、槽本体１の他側面に設けられ、孔軸Ｘ２が流入孔２の孔軸Ｘ１よりも、低い位置にある。開口部４１は、槽本体１の天井面のほぼ全面に開口されている。蓋体６１〜６５は開口部４１を閉塞する。【選択図】    図１
2004181384.tif 000002
【特許請求の範囲】
【請求項１】
槽本体と、流入孔と、流出孔と、開口部と、蓋体を含む浄化槽であって、
前記流入孔は、前記槽本体の一側面に設けられており、
前記流出孔は、前記槽本体の他側面に設けられ、孔軸が前記流入孔の孔軸よりも低い位置にあり、
前記開口部は、１つであって、前記槽本体の天井面の全面に開口されており、
前記蓋体は、前記開口部を閉塞する浄化槽。
【請求項２】
請求項１に記載された浄化槽であって、前記開口端から前記流出孔軸までの距離が２００ｍｍ程度である浄化槽。
【発明の詳細な説明】
【０００１】
【発明の属する技術分野】
本発明は、浄化槽に関する。
【０００２】
【従来の技術】
戸建住宅に用いられている浄化槽は、一側面に流入孔を有し、他側面に流出孔を有している。水洗トイレから流された汚水、敷地内で生じた排水は、流入孔に接続された流入管を通して集め、流出孔に接続された流出管を通して道路傍に設けられた側溝に送り出す。側溝は、一般にはＵ字状側溝として構成される。浄化槽から側溝への排水は、一般には、自然放流によって行われる。
【０００３】
この種の浄化槽では、法令上、槽内喫水線から槽天井面までの距離を２００ｍｍに保つことが必要である。従来は、上述した距離２００ｍｍを保った上で、コンクリート打設のために、槽天井面から１００ｍｍ程度の突出量を確保して、検視窓となる開口部を設ける。従って、検視窓となる開口部の上端面を、地表面に合わせた場合、開口部の上端面から、流出孔の孔軸までの深さが約３００ｍｍとなる。
【０００４】
ところが、開口部の上端面から、流出孔の孔軸までの深さを、約３００ｍｍに設定した従来の浄化槽では、宅地によっては、敷地表面と側溝の流入管取付孔との間の高低差を、自然放流の可能な値に設定できない場合があり、地表面の位置によっては、側溝に対して逆勾配となり、円滑な自然放流が妨げられてしまう。
【０００５】
例えば、浄化槽専用敷地を確保することができず、浄化槽を、駐車場の下に埋め込むことが多々ある。このような場合、駐車場の表面は、敷地表面よりも一段下げて、路面と同じ高さ位置にして、車の出し入れを容易にする構造が採用される。駐車場を、敷地表面よりも一段下げた位置にして、その地下部分に浄化槽を設けると、現状の浄化槽では、上述した寸法的構造要件のために、浄化槽に設けた流出孔の位置が側溝の管取付孔より低くなる場合が多く、自然放流が不可能な場合が多々生じてくる。
【０００６】
側溝の位置を深く掘り下げれば、自然放流は可能であるが、側溝は公共施設であり、個人の都合で変更できない。
【０００７】
そこで、自然放流が不可能な場合、従来は、浄化槽と側溝の間に放流ポンプ槽を設け、排水をポンプアップして側溝に送り出していた。このようなポンプアップ方式を採用した場合は、浄化設備のコストアップを招いてしまう。
【０００８】
【発明が解決しようとする課題】
本発明の課題は、側溝に自然放流するのに適した浄化槽を提供することである。
【０００９】
【課題を解決するための手段】
上述した課題を解決するため、本発明に係る浄化槽は、槽本体と、流入孔と、流出孔と、開口部と、蓋体とを含む。前記流入孔は、前記槽本体の一側面に設けられており、前記流出孔は、前記槽本体の他側面に設けられ、孔軸が前記流入孔の孔軸よりも低い位置にある。前記開口部は、１つであって、前記槽本体の天井面の全面に開口されている。前記蓋体は、前記開口部を閉塞する。
【００１０】
上述したように、開口部は、槽本体の天井面に開口されているから、この開口部を、検視窓として利用することができる。
【００１１】
開口部は槽本体の天井面に開口されており、蓋体は開口部を閉塞するから、蓋体から流出孔軸までの距離を、２００ｍｍに設定した場合、喫水線と、蓋体によって構成される天井面との間の距離もほぼ２００ｍｍの距離に保つことができる。よって、法令上の要求事項を満たすことができる。しかも、従来、３００ｍｍ以上であった開口端から流出孔軸までの距離が、２００ｍｍ程度に短縮されるので、従来問題となっていた側溝に対する逆勾配の問題が解消される。このため、排水をポンプアップして側溝に送り出す必要もなく、側溝に自然放流できるようになる。
【００１２】
開口部は、１つであって、槽本体の天井面の全面に開口されており、この開口部を蓋体によって閉塞する構造であるから、蓋体を、鉄板、コンクリートまたはその他の機械的強度の大きな材料によって構成し、蓋体を、地表面における荷重受け面として機能させることができる。従って、ＦＲＰなどで構成されていて機械的強度の弱い槽本体の天井面が荷重受け面となるのを回避し、機械的強度を確保することができる。
【００１３】
流出孔は、孔軸が流入孔の孔軸よりも低い位置にあるから、流入孔から流出孔の方向に、自然放流することができる。
【００１４】
【発明の実施の形態】
図１は本発明に係る浄化槽の正面断面図、図２は図１の２−２線に沿った側面断面図、図３は図１及び図２に示した浄化槽の平面図である。図示された浄化槽は、槽本体１と、流入孔２と、流出孔３と、開口部４１と、蓋体６１〜６５を含む。流入孔２は、槽本体１の一側面に設けられている。流出孔３は、槽本体１の他側面に設けられ、孔軸Ｘ２が流入孔２の孔軸Ｘ１よりも、低い位置にある。開口部４１は、槽本体１の天井面のほぼ全面に開口されている。開口分１の周辺には、槽本体１の一部が、枠状に残されている。
【００１５】
蓋体６１〜６５は、開口部４１を閉塞するように配置されている。蓋体１は、開口部４１の周辺に残された槽本体１の一部によって支えられている。図示実施例では、蓋体６１〜６５は５個であり、互いに隣接して配置されているが、その個数は任意である。１枚であってもよい。上記構成により、蓋体６１〜６５は、槽本体１の天井面を構成することになる。蓋体６１〜６５は、鉄板、コンクリートまたはその他の機械的強度の大きな材料によって構成する。
【００１６】
槽本体１は、限定するものではないが、例えば、ＤＣＰＤ（ジシクロペンタジェン樹脂）または、ＦＲＰ（繊維強化プラスチック）等で構成できる。槽本体１は、実際には、内部が隔壁で区画されており、嫌気濾床層、接触ばっ気槽及び沈殿槽などに分かれている。そのような内部構造は公知である。
【００１７】
図４は図１〜図３に示した浄化槽の使用状態を示す図である。図１〜図３に表示された構成部分と同一の構成部分に付いては、同一の参照符号を付してある。浄化槽は地面Ｇに埋設されている。流出孔３は、流出端が側溝８の内部に導かれている。
【００１８】
浄化槽において、開口部４１は、槽本体１の天井面に開口されているから、開口部４１は、検視窓として利用することができる。
【００１９】
開口部４１は、槽本体１の天井面に開口されており、蓋体６１〜６５は開口部４１を閉塞するから、蓋体６１〜６５から流出孔軸Ｘ２までの距離を、２００ｍｍに設定した場合、喫水線５と天井面との間の距離Δｈも、ほぼ２００ｍｍの距離に保つことができる。よって、法令上の要求事項を満たすことができる。
【００２０】
しかも、従来、３００ｍｍ以上であった開口端から流出孔軸Ｘ２までの距離が、２００ｍｍ程度に短縮されるので、従来問題となっていた側溝８に対する逆勾配の問題が解消される。このため、排水をポンプアップして側溝に送り出す必要もなく、側溝に自然放流できるようになる。
【００２１】
開口部４１は、１つであって、槽本体１の天井面の全面に開口されている。この開口部４１は蓋体６１〜６５によって閉塞されている。この構造によれば、蓋体６１〜６５を、鉄板、コンクリートまたはその他の機械的強度の大きな材料によって構成し、蓋体６１〜６５を、地表面における荷重受け面として機能させることができる。従って、ＦＲＰなどで構成されていて、機械的強度の弱い槽本体１の天井面自体が荷重受け面となるのを回避し、機械的強度を確保することができる。
【００２２】
しかも、従来、３００ｍｍ以上必要であった開口端７から流出孔軸Ｘ２までの距離が、２００ｍｍ程度に短縮されるので、従来問題となっていた側溝８に対する逆勾配の問題が解消される。このため、排水をポンプアップして側溝８に送り出す必要もなくなくなり、側溝８に自然放流できるようになる。
【００２３】
流出孔３は、孔軸Ｘ２が流入孔２の孔軸Ｘ１よりも低い位置にあるから、流入孔２から流出孔３の方向に、自然放流することができる。
【００２４】
【発明の効果】
以上述べたように、本発明によれば、浄化槽設置時に、側溝に自然放流し得る浄化槽を提供することができる。
【図面の簡単な説明】
【図１】本発明に係る浄化槽の正面図である。
【図２】図１の２−２線に沿った側面断面図である。
【図３】図１及び図２に示す浄化槽の平面図である。
【図４】図１〜図３に示す浄化槽の使用状態を示す図である。
【符号の説明】
１              槽本体
４１            開口部
２              流入孔
３              流出孔
６１〜６５      蓋体
【図１】
2004181384.tif 000003
【図２】
2004181384.tif 000004
【図３】
2004181384.tif 000005
【図４】
2004181384.tif 000006